Podtech/llm-jp-corpus-v4-ja_patent huggingface dataset:
(57)【要約】  本発明はブレードリングを形成するための方法に関し、この方法は、プラズマ形成工程を用いてフレーム（７）上にブランク（１３）を設置し、次いでフレームを取り除くことによって、ブレードリング（１）の外部シェルを形成することから成る。ブレードの先端はこれらの外形から独立してフェルールに完全に埋め込まれ、よって空気力学性能が悪化しない。
2005513343.tif 000002
【特許請求の範囲】
【請求項１】
二つの同心円シェル（５、１４）および前記シェルを接合する中間ブレード（１）から構成されるブレードリングの製造方法であって、前記方法は前記ブレードのほぞ（３）を前記シェルのうちの一つにはめ込むことを含み、次いで前記ほぞの反対側の前記ブレードの先端を環状フレーム（７）に埋め込むこと、および別の前記シェルのブランク（１３）をプラズマにより前記フレーム上に堆積すること、および前記ブランクを機械加工して別の前記シェルを形成し、前記フレームを取り除くことを含むことを特徴とする、ブレードリングの製造方法。
【請求項２】
前記フレームは前記ブレードのブランクを収容するための環状凹所を有することを特徴とする、請求項１に記載の方法。
【請求項３】
スペーサー（１０）は前記ほぞがはめ込まれる前記シェル上でかつ前記フレームの下に、前記ブレードの間に配置されることを特徴とする、請求項１または２に記載の方法。
【発明の詳細な説明】
【技術分野】
【０００１】
本発明は、二つの同心円シェルおよびこれらを接合する中間ブレードから成る型のブレードリングの製造方法に関する。
【背景技術】
【０００２】
現在、ブレードをシェルに接合するための主要な方法が二つある。第一の方法において、リングは鋳物部品として製造され、必要な機械加工により余分な厚みを取り除きブレードの形状を調整する。このリングの品質は極めて良好であるが、機械加工の間の変形を避けることが容易ではないため製造が困難であり、ブレードの形状の選択には制限があり、更にブレードをシェルと同じ物質で形成しなければならず、また最後に、ブレードおよびシェルの間の接合範囲が存在して空気力学性能が低下する。
【０００３】
別の主要な方法において、ブレードおよびシェルは別々に製造され、次いで共に組み立てられ、はんだ付けされるが、はんだ付けは中程度の抵抗のみ有し、その良好な性能のためますます評価されている非常に曲がったブレードに対し実行するのは依然として困難であり、最後に、組み立て精度を確かめねばならず、ブレードおよびシェルの遊びを慎重に調整しなければならない。
【０００４】
この技術分野において使用される、はんだ付けおよび焼結を含む別の複合の方法は米国特許第５，７３２，４６８号明細書に言及および説明される。
【発明の開示】
【発明が解決しようとする課題】
【０００５】
本発明は、要約すると、シェルのうち少なくとも一つがプラズマ吹き付けにより形成され、最終的な形状に機械加工される、従来と異なる方法に関する。
【課題を解決するための手段】
【０００６】
上述の制限および不都合が本質的にブレード先端に存在する一方、ブレードの根元ではあまり顕著ではないため、この配置は重要である。従って、別々に製造されるブレードの根元でブレードほぞをシェルのノッチに配置することにより、リングの予備的なアセンブリを形成することが容易であり、（また同業者にとって既知の方法において、アセンブリが完成する際ブレードの根元においてろう付けすることが容易である）。次いでブレードの先端の上にフレームが配置されて先端を覆い、フレームはこれにより先端を適所に保持し、フレームの上に置かれるプラズマを収容してシェルブランクを形成する。最後に、機械加工によりシェルは要求される外形が与えられるよう形成され、フレームを機械加工または他の方法によって取り除くか、またはシェルの一部として適所に残すことが可能である。
【０００７】
プラズマ吹き付けにより形成されるシェルはブレードの先端に容易にはめ込まれ、固定アセンブリを形成する。
【０００８】
本発明の好ましい実施形態の詳細な説明を、図１、２、３、４および５を参照し、これより説明する。
【発明を実施するための最良の形態】
【０００９】
図１において、ブレード１それぞれは、主要羽根部分２とは別に、その根元にほぞ３を含み、またカラー４も図示されるが、このカラーはリングが構成されるともはやブレードの一部ではなくなる。カラー４は根元３の反対側に位置する。
【００１０】
ブレード１はノッチ６が備えられる内部シェル５の方に導かれる。この方法の第一段階はほぞ３をノッチ６に導くことから成り、次いで、カラー４をノッチ８にはめ込むことによりブレードを覆うような方法で、連続するリングセグメントから構成され、やはりノッチ８を備えるフレーム７がブレード１に導かれ、組み立てられる。全体としてのアセンブリを図２に図示する。スペーサー１０はブレード１の間に導かれ、内部シェル５およびフレーム７のセグメントの間の間隔を維持する。
【００１１】
図３において、回転ハブおよび固定フィンガーを特に含む型の支持器具１１上に実装されるアセンブリは、フレーム７の上にプラズマ形態の金属粉を吹き付けてカラー４を被覆するメタライジングトーチ１２の前で動かされる。器具１２の何回かの回転の後、十分な厚さの層が堆積され、図４のようにブランク１３を形成する。次いでフレーム７を機械加工または別の方法によってスペーサー１０と共に取り除くことができる。この状態を簡素化するために、抵抗の低い構造または物質をフレーム７に任意に選択することができる。
【００１２】
次に、要求される横断面を有する外部シェル１４を提供するようブランク１３が機械加工されることを図５に図示し、取り除かれた部分に関しては１５と付す。機械加工はブランク１３の側面上および外側上において実施され、ブレード１との接触を、特にこの複雑な形状の外部シェル１４とブレードの接合部との接触を避けるため、通常ブランクの内側では実施されない。結果として、羽根２は外部シェル１４に完全に埋め込まれる。ブレードの根元に対する機械的および空気力学的必要条件はそれほど多くを要求せず、ノッチ６へほぞ３をはんだ付けすることにより良好なリングアセンブリがもたらされる。
【００１３】
フレーム７が凹面状でありブランク１３を包含するようひと組の側面１６により画定される場合、機械加工は容易になる。すなわちメタライゼーションは凹所が埋まると停止する。従って外部シェル１４のより平坦なブランクが得られる。
【図面の簡単な説明】
【００１４】
【図１】本発明の好ましい実施形態を示す図である。
【図２】本発明の好ましい実施形態を示す図である。
【図３】本発明の好ましい実施形態を示す図である。
【図４】本発明の好ましい実施形態を示す図である。
【図５】本発明の好ましい実施形態を示す図である。
【図１】
2005513343.tif 000003
【図２】
2005513343.tif 000004
【図３】
2005513343.tif 000005
【図４】
2005513343.tif 000006
【図５】
2005513343.tif 000007
【国際調査報告】
2005513343.tif 000008
2005513343.tif 000009
2005513343.tif 000010
2005513343.tif 000011
(57)【要約】シルクスクリーン方法を開示する。この印刷方法は、網目数２００〜３００のスクリーン布からなった対角スクリーンを感光性エマルションで塗布し、塗布されたスクリーンを乾燥させ、前記スクリーン上に４０〜６０ライン及び６０〜７０％のフィルムを置き、前記フィルムが置かれたスクリーンを紫外線で１〜２分間露出させ、前記紫外線に露出されていないスクリーン部分を洗浄し、スクリーン印刷を行うことを含む。
2005514234.tif 000002
【特許請求の範囲】
【請求項１】
網目数２００〜３００のスクリーン布からなった対角スクリーンを感光性エマルションで塗布し、塗布されたスクリーンを乾燥させる段階と、
前記スクリーン上に４０〜６０ライン及び６０〜７０％のフィルムを置く段階と、
前記フィルムが置かれたスクリーンを紫外線で１〜２分間露出させる段階と、
前記紫外線に露出されていないスクリーン部分を洗浄する段階と、
スクリーン印刷を行い、インクを硬化させる段階とを含んでなることを特徴とするシルクスクリーン印刷方法。
【請求項２】
請求項１において、前記フィルムが４０ライン及び６０％を有することを特徴とするシルクスクリーン印刷方法。
【請求項３】
請求項１において、前記フィルムが６０ライン及び６０％を有することを特徴とするシルクスクリーン印刷方法。
【請求項４】
請求項１において、塗布機とスキージー間の距離が５．２ｃｍである前記フィルムが４０ライン及び６０％を有することを特徴とするシルクスクリーン印刷方法。
【請求項５】
請求項１において、スキージー角度が４５°である前記フィルムが４０ライン及び６０％を有することを特徴とするシルクスクリーン印刷方法。
【発明の詳細な説明】
【技術分野】
【０００１】
本発明はシルクスクリーン印刷方法に関するものである。より詳しくは、本発明は表面に凹凸を形成して、触覚に優れ、手跡が残らない表面を有する印刷物を製造する方法に関するものである。
【背景技術】
【０００２】
一般に、カレンダー等に写真を印刷して多く使用している。従来方法により印刷された写真は表面が滑らかに形成されているため、その触覚がよくないとともに手跡、指紋などが生じる問題点があった。
【０００３】
したがって、より高級な感じがする印刷物に対する要求が絶え間なく持続している。
【発明の開示】
【発明が解決しようとする課題】
【０００４】
したがって、本発明の目的は、表面に凹凸を形成して、触覚に優れ、手跡が残らない表面を有する印刷物を製造する方法を提供することにある。
【０００５】
本発明の他の目的は、より高級な感じがする印刷物の製造方法を提供することにある。
【０００６】
前記のような本発明の目的を達成するため、本発明者は、フィルムのライン数及び％、及びスクリーン目数を変化させながら実験を無数に実施した結果、自然で高級な印刷物を製造する方法を開発し、このシルクスクリーン印刷方法を「フォトテクニック」と命名した。
【課題を解決するための手段】
【０００７】
本発明のシルクスクリーン印刷方法は、網目数２００〜３００の網糸からなった対角スクリーンを感光性エマルションで塗布してから乾燥させ、その上に４０〜６０ライン及び６０〜７０％のフィルムを載せる。その後、紫外線を１〜２分間照射し、光が透過しなかった部分を洗浄し、スクリーン印刷した後、インクを硬化させる。
【発明を実施するための最良の形態】
【０００８】
一般に、フィルムラインは４０〜１７５の範囲にある。本発明のフォトテクニックに有用なフィルムとしては、４０〜６０ラインのフィルムを使用する。ライン数が少なくなるほど、表面が粗くなり、ライン数が大きくなるほど、表面が滑らかになる。本発明の凹凸表面を形成するためには、６０ライン以下のフィルムを使用することが好ましい。１７５ライン及び１０〜１００％のフィルムと４０ライン及び１０〜１００％のフィルムのなかで、４０〜６０ライン及び６０〜７０％のフィルムを使用することが好ましい。
【０００９】
スクリーンは、一般に網目数６０〜４２０のスクリーン布を使用するが、本発明は、網目数２００〜３００のスクリーンを使用する。特に、フォトテクニックにおいて詳細なライン作業に対角スクリーンを使用する。
【００１０】
最適には、柔らかな感じの印刷を行う場合、６０ライン及び６０％のフィルムを選択し、網目数２５０の対角スクリーンを使用する。一方、粗い感じの印刷を行う場合は、４０ライン及び６０％のフィルムと網目数２５０の対角スクリーンを使用する。
【００１１】
印刷に際して、塗布器の目盛りを一定に維持し、スキージーの目盛りを０に設定する。塗布器とスキージー間の距離は５．０〜５．４ｃｍに調節する。スキージーの角度は、スキージーの目盛りによって、１５〜４５°に調節する。スキージーの目盛りを１５ｍｍに設定する場合、印刷工程はスキージー角度４５°で実施する。
【００１２】
インクの硬化工程はＵＶランプにより実施する。ここで、ランプとしては、１５００〜１８００ｌｕｘの照度を有する水銀ランプ又はメタルランプを使用する。
【００１３】
本発明を限定するものでなく例示するための次の実施例から、本発明をより明らかに理解することができる。
【実施例１】
【００１４】
網目数２５０〜３００を有する１００ｃｍ×１１０ｃｍの対角スクリーンの前面及び後面を感光性エマルション（ＵＬＡＮＯ５６９ＴＭ）で塗布し、熱乾燥機で５分間乾燥させた。乾燥されたスクリーンの後面を前記エマルションでさらに３回塗布し、スクリーンの前面を２回塗布させた後、塗布された表面を熱乾燥機でさらに５分間乾燥させた。スクリーンを工程カメラ上に置き、そのスクリーン上にフィルム（４０ライン及び５０％）を置き、紫外線で９０秒間照射した。光に露出されていない部分は水で水洗した。
【００１５】
その後、ブリム化学株式会社（韓国）から製造するエッチングＳインクとサクライ自動印刷機を使用して印刷工程を行った。塗布機とスキージー間の距離は５．２ｃｍに調節し、スキージー角度は４５°に調節した。印刷物は図２に示す。
【産業上の利用可能性】
【００１６】
前述したように、本発明の印刷方法により印刷された印刷物は、表面が滑らかでなく凹凸面を有するため、高級な感じを与えるだけでなく、手跡などが生じることを防止することができる。
【００１７】
本発明の印刷方法は写真を表すカレンダー等の印刷物のみならず、そのほかの全ての印刷物及び写真の製造に適用することが好ましい。
【００１８】
以上、本発明を例示的に説明したが、ここに使用した用語は本発明を限定するよりは説明するためのものであることを理解すべきである。本発明は、前記教示から多くの修正及び変形を可能にする。したがって、本発明は、添付した特許請求範囲内で、前述したもの以外の方式で実施することができる。
【図面の簡単な説明】
【００１９】
【図１】従来技術により印刷された写真である。
【図２】本発明の方法により印刷された写真である。
【図１】
2005514234.tif 000003
【図２】
2005514234.tif 000004
【国際調査報告】
2005514234.tif 000005
(57)【要約】本発明は、Pentadiplandraceae族、Pentadiplandra brazzeana属、brazzeana品種の植物から生物学的酸化防止剤を抽出する方法に関する。該生物学的酸化防止剤の分析により、該分子はＮ，Ｎ’−ジベンジルチオ尿素であることが分かった。該分子の抽出または合成は、酸素による該活性箇所の破壊を回避するために、酸素と一切接触しない様に行うべきである。Ｎ，Ｎ’−ジベンジルチオ尿素をPentadiplandra brazzeana属、brazzeana品種から抽出する時、または実験室で合成する時は、Ｎ，Ｎ’−ジベンジルチオ尿素を水アルコール溶液中に保存することにより、該物質の活性箇所、すなわち薬理学的特性が得られる（−ＮＨ−）基を保護することができる。【特許請求の範囲】
【請求項１】
生物学的酸化防止剤の抽出方法であって、前記生物学的酸化防止剤が植物材料に由来することを特徴とする、方法。
【請求項２】
PENTADIPLANDRACEAE族、PENTADIPLANDRA BRAZZEANA属、BRAZZEANA品種の植物から抽出される、請求項１に記載の生物学的酸化防止剤。
【請求項３】
酸素との接触を回避するために、抽出手順が、生成物を沈殿させずに、溶剤を完全に蒸発させずに行われる、請求項１または２に記載の生物学的酸化防止剤。
【請求項４】
活性箇所であるＮＨ基のＨが保存される、請求項３に記載の生物学的酸化防止剤。
【発明の詳細な説明】
【技術分野】
【０００１】
本発明の目的は、Pentadiplandraceae族、Pentadiplandra Brazzeana属、Brazzeana品種の植物の根から化合物Ｎ，Ｎ’−ジベンジルチオ尿素を抽出する手順である。
【背景技術】
【０００２】
この植物は、中央アフリカの森林に見られる蔓植物である。植物学者や民族植物学者(ethnobotanist)には、その根が中央アフリカの人々により調味料として使用されることが知られている。
【０００３】
この植物には植物化学的研究がなされているが、誰もＮ，Ｎ’−ジベンジルチオ尿素を単離しておらず、その生物学的酸化防止剤としての潜在性を立証しておらず、その作用の様式を示していない。
【発明を実施するための最良の形態】
【０００４】
本発明の抽出手順により、Ｎ，Ｎ’−ジベンジルチオ尿素を単離することができる。粉砕し、乾燥させた根１ｋｇを黄色の２リットルフラスコに入れる。溶剤としてエチルアルコール１リットルを９５°で加える。
【０００５】
栓をしたフラスコを機械的振とう装置上に配置し、フラスコを４時間振とうし、この化合物を十分に抽出する。振とう装置を停止し、フラスコを１時間放置する。液体を濾過し、レモン−イエロー色の濾液を回収する。アルコールを、サーモスタットで４０°に調整した水浴を備えた回転蒸発装置中、約１５ｍｍＨｇ圧で減圧蒸留により除去する。残留物を乾燥させてはならない。
【０００６】
Ｎ，Ｎ’−ジベンジルチオ尿素を得るために、濃縮したアルコール溶液をデカンターに入れ、四塩化炭素２５０ｍｌを注ぎ込み、全体を手で１時間振とうする。放置した後、デカンター中に２つの相が現れる。
【０００７】
水アルコール相は、四塩化炭素に不溶なＮ，Ｎ’−ジベンジルチオ尿素を含む。
【０００８】
我々は、この溶液数ｍｌを蒸発乾固させると、空気中の酸素の存在下で黒みを帯びた粘着性の残留物が得られることを観察した。この残留物の構造研究により、この物質は、薬理学的効果が無いＮ，Ｎ’−ジベンジルチオ尿素重合体であることが分かる。
【０００９】
重合体形成の機構は、下記の通りである。
【化１】
2005524681.tif 000002
【００１０】
この反応の結果、空気との接触により、Ｎ，Ｎ’−ジベンジルチオ尿素２モルから、４個の水素原子が失われ、水２分子を生じ、重合体が形成される。
【００１１】
我々はこの様に、構造分析の後、Pentadiplandra Brazzeana、Brazzeana品種の根の中に、生物学的酸化防止剤であるＮ，Ｎ’−ジベンジルチオ尿素が溶液中に存在することを立証した。
【００１２】
そこで、この物質をヒトまたは動物用の医薬品として使用し、この生物学的酸化防止剤の水酸基（ＯＨ）（これは、その攻撃性により、ヒトおよび動物の多くの細胞の状態および機能を変化させる）に対するインビトロ作用を立証した。
【００１３】
我々は、Fentom法を使用した。この方法は、キサンチン／キサンチンオキシダーゼ系により発生するフリーラジカルによるデオキシリボースの分解に基づいている。この分解により、マロンジアルデヒドが形成されるので、これを比色定量により測定する。
【００１４】
この技術では、遊離水酸基の捕獲を、マロンジアルデヒド形成の低下と解釈する。
【００１５】
濃度２０、１０および５％のＮ，Ｎ’−ジベンジルチオ尿素溶液は、マロンジアルデヒドの生成を、遊離水酸基捕獲剤を含まない比較試料に対して、それぞれ６５、５９および５１％低下させる。この生物学的酸化防止剤のアルコール溶液は、生物内で下記の様式で作用する。
【００１６】
【化２】
2005524681.tif 000003
【００１７】
この反応の生成物は、安定しており、尿中に排出される。
【手続補正書】
【提出日】平成16年12月8日(2004.12.8)
【手続補正１】
【補正対象書類名】特許請求の範囲
【補正対象項目名】全文
【補正方法】変更
【補正の内容】
【特許請求の範囲】
【請求項１】
Pentadiplandra Brazzeana族、Brazzeana品種の植物の根からＮ，Ｎ’−ジベンジルチオ尿素を抽出する方法であって、
１）前記根を粉砕する工程、
２）工程１）で得たホモジネートを乾燥させる工程、
３）エチルアルコールを９５°で加え、次いで混合物を振とうする工程、
４）濾液を濾過し、集める工程、
５）乾燥残留物の生成を避けながら、濃縮されたアルコール溶液が得られるまで、４０℃で減圧蒸留する工程、
６）工程５）で得た水アルコール溶液に四塩化炭素を加える工程、
７）Ｎ，Ｎ’−ジベンジルチオ尿素を含む水アルコール相をデカンテーションし、回収する工程
を含んでなる、方法。
【請求項２】
請求項１に記載の方法により得られる、Ｎ，Ｎ’−ジベンジルチオ尿素。
【請求項３】
請求項２に記載のＮ，Ｎ’−ジベンジルチオ尿素を含む、水アルコール溶液。
【請求項４】
請求項２に記載のＮ，Ｎ’−ジベンジルチオ尿素の、抗酸化薬製造のための使用。
【請求項５】
請求項３に記載のＮ，Ｎ’−ジベンジルチオ尿素の水アルコール溶液の、抗酸化薬製造のための使用。
【請求項６】
酸化防止剤として使用するための、請求項２に記載のＮ，Ｎ’−ジベンジルチオ尿素。
【請求項７】
酸化防止剤として使用するための、請求項３に記載の水アルコール溶液。
【請求項８】
水酸基の作用による動物またはヒト生物細胞の状態および機能の変化により引き起こされる病状の処置に使用するための、請求項２に記載のＮ，Ｎ’−ジベンジルチオ尿素。
【国際調査報告】
2005524681.tif 000004
2005524681.tif 000005
2005524681.tif 000006
2005524681.tif 000007
2005524681.tif 000008
2005524681.tif 000009
(57)【要約】頭髪をリンス又は洗浄するための洗浄槽２であって、当該洗浄槽２の内部空間１４を照明するために、複数の光源５を有した照明装置３が設けられている。この洗浄槽２は、光透過性材料４から構成されており、この際、照明装置３の光源５は、洗浄槽２の外側に配置されており、洗浄槽２の外側面６の少なくとも部分領域１１が光１２を放射できるようになっている。【選択図】図１
2005507689.tif 000002
【特許請求の範囲】
【請求項１】
頭髪をリンス又は洗浄するための洗浄槽であって、当該洗浄槽の内部空間を照明するために、複数の光源を有した照明装置が設けられているものにおいて、前記洗浄槽（２）が光透過性材料（４）から構成されていること、及び、前記照明装置（３）の前記光源（５）が前記洗浄槽（２）の外側に配置されており、前記洗浄槽（２）の外側面（６）の少なくとも部分領域（１０）が光（１１）を放射可能であることを特徴とする頭髪のリンス又は洗浄用洗浄槽。
【請求項２】
材料（４）として、ガラス（４．１）又はプラスチック（４．２）が選択的に設けられていることを特徴とする請求項１に記載の洗浄槽。
【請求項３】
乳白色の材料（４．３）が設けられていることを特徴とする請求項１に記載の洗浄槽。
【請求項４】
前記外側面（６）に艶消し部（８）が設けられていることを特徴とする請求項１に記載の洗浄槽。
【請求項５】
前記光源（５）が、構造ユニット（７）として統合されていることを特徴とする請求項１に記載の洗浄槽。
【請求項６】
前記光源（５）に外側カバー（９）が設けられていることを特徴とする請求項１に記載の洗浄槽。
【請求項７】
前記光源（５）が、照明ダイオード（５．１）又は低圧ハロゲンランプ（５．２）を有していることを特徴とする請求項１に記載の洗浄槽。
【請求項８】
前記洗浄槽（２）が、後方洗浄槽（１０）として設けられていることを特徴とする請求項１に記載の洗浄槽。
【請求項９】
前記後方洗浄槽（１０）が、後方洗浄装置（１）として形成されていることを特徴とする請求項８に記載の洗浄槽。
【請求項１０】
前記の外側カバー（９）と前記洗浄槽（２）が、光透過性材料（４）にて一緒に一体化して作られていることを特徴とする請求項６に記載の洗浄槽。
【発明の詳細な説明】
【技術分野】
【０００１】
本発明は、頭髪をリンス又は洗浄するための洗浄槽であって、当該洗浄槽の内部空間を照明するために、複数の光源を有した照明装置が設けられているものに関する。
【背景技術】
【０００２】
照明装置を有したこのような洗浄槽は、ＤＥ２０１０５７０８Ｕ１から公知であり、この場合、洗浄槽の内部空間を照明するために、複数の光源が洗浄槽に埋め込まれている。これによって、美容院における通常の照明により不完全な照明状態が後頭部に光の影を生じさせ、頭髪から全てのリンス‐又は洗浄剤残留物が濯ぎ落とされたか、あるいは洗い落とされたか否かがわかりにくいために、頭髪の専門的な濯ぎ及び洗浄が困難になるということが回避されることになる。この洗浄槽に光源を嵌め込むには、洗浄槽の壁面を貫通した対応する穿孔が必要であり、しかも、手作業で水密性のある状態に固定しなければならず、これは非常に無駄なことである。その上、互いに離れた位置にある光源によって、後頭部に均一な照明が当たらない。
【発明の開示】
【発明が解決しようとする課題】
【０００３】
本発明は、洗浄槽の壁面に穿孔を設ける必要がなく、光源を水密に固定するのに後で手作業を行う必要もなく、後頭部への均一な照明が得られるような同様の類の洗浄槽を創作することを課題とする。
【課題を解決するための手段】
【０００４】
このような課題は、請求項１の特徴部分によって解決される。本発明の更なる改良品／実施形態のものは、従属項から明らかである。
【０００５】
本発明を、実施例を用いて更に詳しく説明する。
【発明を実施するための最良の形態】
【０００６】
図１は、照明装置を有した洗浄槽の切断側面図であり、図２は、図１に記載の洗浄槽を上方から見た図である。
【０００７】
図１には、頭髪をリンス又は洗浄するための洗浄槽２が示されており、この際、当該洗浄槽２の内部空間１４を照明するために、複数の光源５を有した照明装置３が設けられている。栓１５とハンドシャワー１６が設けられた、この洗浄槽２は光透過性材料４から構成されており、この際、照明装置３の光源５は、洗浄槽２の外側となるように配置されており、洗浄槽２の外側面６の少なくとも部分領域１１が、光１２を放射可能になっている。材料４としては、ガラス４．１又はプラスチック４．２が選択して設けられており、大きな光散乱の目的で乳白色材料４．３から構成されても良い。しかし、大きな光散乱のために、艶消し部８を有した外側面６が設けられても良い。このような光源５の費用的に有利な製造及び取り付けは、光源５を構造ユニット７として統合することによって達成され、この際、光源５は対応した連結にて互いに、構造ユニット７としての籠状の形成物を形成する。このような構造ユニット７は、例えば連結部１３によって外側で排水管１７と連結される。光源５の機械的な安全装置として、及び必要に応じてまぶしさ除けとして、光源５には外側カバー９が設けられる。光源５としては、好ましくは白色光を放つ、照明ダイオード５．１又は低圧ハロゲンランプ５．２が設けられても良い。この洗浄槽２は、後方洗浄槽１０として設けられても良く、これは後方洗浄装置１に形成されても良い。外側カバー９と洗浄槽２が光透過性材料４にて一緒に一体化して作られたものを設けることができる。
【図面の簡単な説明】
【０００８】
【図１】図１は、照明装置を有した洗浄槽の切断側面図である。
【図２】図２は、図１に記載の洗浄槽を上方から見た図である。
【符号の説明】
【０００９】
１  後方洗浄装置
２  洗浄槽
３  照明装置
４  光透過性材料
４．１  ガラス
４．２  プラスチック
４．３  乳白色材料
５  光源
５．１  照明ダイオード
５．２  低圧ハロゲンランプ
６  外側面
７  構造ユニット
８  艶消し部
９  カバー
１０  後方洗浄槽
１１  部分領域
１２  光
１３  連結部
１４  内部空間
１５  栓
１６  ハンドシャワー
１７  排水管
Ｘ  間隔
【国際公開パンフレット】
2005507689.tif 000003
2005507689.tif 000004
2005507689.tif 000005
2005507689.tif 000006
2005507689.tif 000007
2005507689.tif 000008
2005507689.tif 000009
2005507689.tif 000010
2005507689.tif 000011
【国際公開パンフレット（コレクトバージョン）】
2005507689.tif 000012
2005507689.tif 000013
【国際調査報告】
2005507689.tif 000014
2005507689.tif 000015
2005507689.tif 000016
2005507689.tif 000017
2005507689.tif 000018
2005507689.tif 000019